【手続補正書】
【提出日】平成17年9月6日(2005.9.6)
【手続補正１】
【補正対象書類名】明細書
【補正対象項目名】請求項４
【補正方法】変更
【補正の内容】
【請求項４】 トリプチセン誘導体が、式（ＩＩ）または式（ＩＩＩ）：
【化２】
2001520255.tif 000001
〔式中、記号および指数は、以下の意味を有する：
Ｘ、Ｙ、ＵおよびＶは、同一または異なり、ＣＲ1、Ｎ、Ｐ、ＡｓまたはＳｉＲ2であり；
Ｒ1は、同一または異なり、Ｈ；ハロゲン；擬ハロゲン；または、１〜３０個の炭素原子を有する炭化水素基であり、炭化水素基は、また、所望とあらば、ヘテロ原子を含有してもよく；
Ｒ2は、同一または異なり、１〜３０個の炭素原子を有する炭化水素基であり、炭化水素基は、また、所望とあらば、ヘテロ原子を含有してもよく；
Ｒ3は、同一または異なり、Ｆ；Ｃｌ；Ｂｒ；Ｉ；ＣＮ；ＮＯ2；１〜２２個の炭素原子を有する分岐または非分岐アルキル基であり、１個以上の−ＣＨ2−基は、−Ｏ−、−Ｓ−、−ＳＯ3−、−Ｏ−ＣＯ−、−ＣＯ−Ｏ−、アリールまたはヘテロアリール（各場合、４〜１０個の炭素原子を有する。）によって置換されていてもよいが、ただし、２個の酸素原子が相互に直接結合することはできず、１個以上または全てのＨ原子は、Ｆによって置換されていてもよく、同一環上の２つの置換基Ｒ2は、互いに結合して、環またはさらなる縮合環系を形成してもよく、または、所望とあらば、一部水素化されていてもよく、また、置換基を有してもよいが，ただし、置換基の数は、炭素原子の合計数より多くはなく；
ｎは、同一または異なり、０、１、２、３、４または５であり；
ＡおよびＢは、同一または異なり、式：
【化３】
2001520255.tif 000002
[式中、記号および指数は、以下の意味を有する：
Ｍは、同一または異なり、−ＣＲ5＝ＣＲ6、−Ｃ≡Ｃ−、−ＣＲ7＝Ｎ−または−Ｎ＝ＣＲ7−であり；
Ｅは、同一または異なり、ピラジン−２，５−ジイル、ピリダジン−３，６−ジイル、ピリジン−２，５−ジイル、ピリミジン−２，５−ジイル、１，３，４−チアジアゾール−２，５−ジイル、１，３−チアゾール−２，４−ジイル、１，３−チアゾール−２，５−ジイル、チオフェン−２，４−ジイル、チオフェン−２，５−ジイル、ナフタレン−２，６−ジイル、ナフタレン−１，４−ジイルまたはナフタレン−１，５−ジイル（ここで、１個または２個のＣＨ基は、Ｎによって置換されていてもよい。）、１，３−オキサゾール−２，４−ジイル、１，３−オキサゾール−２，５−ジイル、１，３，４−オキサジアゾール−２，５−ジイル、４，４’−ビフェニレン、アントラセンジイル、カルバゾールジイル、ベンズオキサゾールジイル、インデン−２，５−ジイルまたはインデン−２，６−ジイル（ここで、環系の１個以上のＨは、基Ｒ8によって置換されていてもよい。）であり；
Ｒ4、Ｒ5、Ｒ6およびＲ7は、同一または異なり、
（ａ）水素、−Ｆ、−Ｃｌ、−ＣＦ3、−ＣＮまたはＮＲ9Ｒ10；
（ｂ）１〜２０個の炭素原子を有する直鎖または分岐アルキル基（不斉炭素原子のあるものまたはないもの）；ここで、
（ｂ１）１個以上の非隣接および非末端ＣＨ2基が−Ｏ−、−Ｓ−、−ＣＯ−、−ＣＯ−Ｏ−、−Ｏ−ＣＯ−、−Ｏ−ＣＯ−Ｏ−または−Ｓｉ（ＣＨ3）2−によって置換されていてもよく、および／または、
（ｂ２）１個以上のＣＨ2基が−ＣＨ＝ＣＨ−、−Ｃ≡Ｃ−、シクロプロパン−１，２−ジイル、１，４−フェニレン、１，４−シクロヘキシレンまたは１，３−シクロペンチレンによって置換されていてもよく、および／または、
（ｂ３）１個以上のＨ原子がＦ、ＣＮ、および／またはＣｌによって置換されていてもよい；
であり；
Ｒ8は、同一または異なり、
（ａ）−Ｆ、−Ｃｌ、−ＣＦ3、−ＣＮまたはＮＯ2；
（ｂ）１〜２０個の炭素原子を有する直鎖または分岐アルキル基（不斉炭素原子のあるものまたはないもの）；ここで、
（ｂ１）１個以上の非隣接および非末端ＣＨ2基が−Ｏ−、−Ｓ−、−ＣＯ−、−ＣＯ−Ｏ−、−Ｏ−ＣＯ−、−Ｏ−ＣＯ−Ｏ−、−ＮＨ−、Ｎ（Ｃ1−Ｃ10−アルキル）、−Ｎ−フェニル−、−Ｎ−トリル−、−Ｎ（Ｃ2Ｈ5−ＯＣＨ3）−または−Ｓｉ（ＣＨ3）2−によって置換されていてもよく；および／または、
（ｂ２）１個以上のＣＨ2基が−ＣＨ＝ＣＨ−、−Ｃ≡Ｃ−、１，４−フェニレンによって置換されていてもよく；および／または、
（ｂ３）１個以上のＨ原子がＦ、ＣＮおよび／またはＣｌによって置換されていてもよい；
であり；
Ｒ9およびＲ10は、同一または異なり、
（ａ）水素；
（ｂ）１〜２０個の炭素原子を有する直鎖または分岐アルキル基（不斉炭素原子のあるものまたはないもの）；ここで、
（ｂ１）相互にまたは窒素原子と隣接しない１個以上のＣＨ2基が−Ｏ−、−Ｓ−、−ＣＯ−、−ＣＯ−Ｏ−、−Ｏ−ＣＯ−、−Ｏ−ＣＯ−Ｏ−または−Ｓｉ（ＣＨ3）2−によって置換されていてもよく、および／または、
（ｂ２）１個以上のＣＨ2基が−ＣＨ＝ＣＨ−、−Ｃ≡Ｃ−、シクロプロパン−１，２−ジイル、１，４−フェニレン、１，４−シクロヘキシレンまたは１，３−シクロペンチレンによって置換されていてもよく、および／または、
（ｂ３）１個以上のＨ原子がＦ、ＣＮ、および／またはＣｌによって置換されていてもよく；および、
（ｂ４）Ｒ8およびＲ9が、合わさって、環を形成してもよい；
であり；
ａ、ｂ、ｃ、ｄ、ｅ、ｆ、ｇおよびｈは、相互に独立に、０または１である。]である。〕
で表される化合物である、請求項１〜請求項３の１項以上に記載の使用。
【手続補正２】
【補正対象書類名】明細書
【補正対象項目名】００２２
【補正方法】変更
【補正の内容】
【００２２】
[式中、記号および指数は、以下の意味を有する：
Ｍは、同一または異なり、−ＣＲ5＝ＣＲ6、−Ｃ≡Ｃ−、−ＣＲ7＝Ｎ−または−Ｎ＝ＣＲ7−であり；
Ｅは、同一または異なり、ピラジン−２，５−ジイル、ピリダジン−３，６−ジイル、ピリジン−２，５−ジイル、ピリミジン−２，５−ジイル、１，３，４−チアジアゾール−２，５−ジイル、１，３−チアゾール−２，４−ジイル、１，３−チアゾール−２，５−ジイル、チオフェン−２，４−ジイル、チオフェン−２，５−ジイル、ナフタレン−２，６−ジイル、ナフタレン−１，４−ジイルまたはナフタレン−１，５−ジイル（ここで、１個または２個のＣＨ基は、Ｎによって置換されていてもよい。）、１，３−オキサゾール−２，４−ジイル、１，３−オキサゾール−２，５−ジイル、１，３，４−オキサジアゾール−２，５−ジイル、４，４’−ビフェニレン、アントラセンジイル、カルバゾールジイル、ベンズオキサゾールジイル、インデン−２，５−ジイルまたはインデン−２，６−ジイル（ここで、環系の１個以上のＨは、基Ｒ8によって置換されていてもよい。）であり；
Ｒ4、Ｒ5、Ｒ6およびＲ7は、同一または異なり、
（ａ）水素、−Ｆ、−Ｃｌ、−ＣＦ3、−ＣＮまたはＮＲ9Ｒ10；
（ｂ）１〜２０個の炭素原子を有する直鎖または分岐アルキル基（不斉炭素原子のあるものまたはないもの）；ここで、
（ｂ１）１個以上の非隣接および非末端ＣＨ2基が−Ｏ−、−Ｓ−、−ＣＯ−、−ＣＯ−Ｏ−、−Ｏ−ＣＯ−、−Ｏ−ＣＯ−Ｏ−または−Ｓｉ（ＣＨ3）2−によって置換されていてもよく、および／または、
（ｂ２）１個以上のＣＨ2基が−ＣＨ＝ＣＨ−、−Ｃ≡Ｃ−、シクロプロパン−１，２−ジイル、１，４−フェニレン、１，４−シクロヘキシレンまたは１，３−シクロペンチレンによって置換されていてもよく、および／または、
（ｂ３）１個以上のＨ原子がＦ、ＣＮ、および／またはＣｌによって置換されていてもよい；
であり；
Ｒ8は、同一または異なり、
（ａ）−Ｆ、−Ｃｌ、−ＣＦ3、−ＣＮまたはＮＯ2；
（ｂ）１〜２０個の炭素原子を有する直鎖または分岐アルキル基（不斉炭素原子のあるものまたはないもの）；ここで、
（ｂ１）１個以上の非隣接および非末端ＣＨ2基が−Ｏ−、−Ｓ−、−ＣＯ−、−ＣＯ−Ｏ−、−Ｏ−ＣＯ−、−Ｏ−ＣＯ−Ｏ−、−ＮＨ−、Ｎ（Ｃ1−Ｃ10−アルキル）、−Ｎ−フェニル−、−Ｎ−トリル−、−Ｎ（Ｃ2Ｈ5−ＯＣＨ3）−または−Ｓｉ（ＣＨ3）2−によって置換されていてもよく；および／または、
（ｂ２）１個以上のＣＨ2基が−ＣＨ＝ＣＨ−、−Ｃ≡Ｃ−、１，４−フェニレンによって置換されていてもよく；および／または、
（ｂ３）１個以上のＨ原子がＦ、ＣＮおよび／またはＣｌによって置換されていてもよい；
であり；
Ｒ9およびＲ10は、同一または異なり、
（ａ）水素；
（ｂ）１〜２０個の炭素原子を有する直鎖または分岐アルキル基（不斉炭素原子のあるものまたはないもの）；ここで、
（ｂ１）相互にまたは窒素原子と隣接しない１個以上のＣＨ2基が−Ｏ−、−Ｓ−、−ＣＯ−、−ＣＯ−Ｏ−、−Ｏ−ＣＯ−、−Ｏ−ＣＯ−Ｏ−または−Ｓｉ（ＣＨ3）2−によって置換されていてもよく、および／または、
（ｂ２）１個以上のＣＨ2基が−ＣＨ＝ＣＨ−、−Ｃ≡Ｃ−、シクロプロパン−１，２−ジイル、１，４−フェニレン、１，４−シクロヘキシレンまたは１，３−シクロペンチレンによって置換されていてもよく、および／または、
（ｂ３）１個以上のＨ原子がＦ、ＣＮ、および／またはＣｌによって置換されていてもよく；および、
（ｂ４）Ｒ8およびＲ9が、合わさって、環を形成してもよい；
であり；
ａ、ｂ、ｃ、ｄ、ｅ、ｆ、ｇおよびｈは、相互に独立に、０または１である。]である。〕
で表されるトリプチセン誘導体である。指数の合計は、好ましくは、少なくとも１であり、特に好ましくは、少なくとも２である。ｂ＋ｄ＋ｆ＋ｈの合計は、特に好ましくは、≧１であり、特に非常に好ましくは、≧２である。